(57)【要約】【課題】取り出し口から次に使用するティッシュペーパーの端部がとび出さないようにして見栄えを良くするとともに、蓋の開閉をワンタッチで出来るようにする。【解決手段】ごみ箱本体の上部開口部に開閉自在にヒンジ結合された蓋にティッシュペーパー収納箱を支持させたごみ箱において、蓋下面にティッシュペーパー収納箱を吊り下げ支持し、前記収納箱の取り出し口に相当する位置の蓋部分に開口部を形成し、この開口部に開口部を覆う開閉蓋をスライド自在に装着する。また、前記蓋のヒンジ結合部分に蓋を開方向に付勢する付勢手段を設け、前記蓋を閉じた状態で係止手段により蓋をごみ箱本体に係止しておき、前記ごみ箱本体の下部外側に設けたペダルを踏むことで前記係止手段による蓋とごみ箱本体の係止を解除して蓋を開くようにする。【選択図】　図２
0003098122.tif 000002
【実用新案登録請求の範囲】
【請求項１】
ごみ箱本体の上部開口部に開閉自在にヒンジ結合された蓋にティッシュペーパー収納箱またはコットン収納箱を支持させたごみ箱において、
蓋下面にティッシュペーパー収納箱またはコットン収納箱を吊り下げ支持する支持手段と、
前記収納箱の取り出し口に相当する位置の蓋部分に形成された開口部と、
この開口部にスライド自在に装着されて開口部を覆う開閉蓋と、
を備えたことを特徴とするごみ箱。
【請求項２】
請求項１記載のごみ箱において、
前記蓋のヒンジ結合部分に設けられ蓋を開方向に付勢する付勢手段と、
前記蓋を閉じた状態で蓋をごみ箱本体に係止する係止手段と、
前記ごみ箱本体の下部外側に設けられ前記係止手段による蓋とごみ箱本体の係止を解除するペダルと、
を備えたことを特徴とするごみ箱。
【請求項３】
請求項１記載のごみ箱において、
前記蓋のヒンジ結合部分に設けられ蓋を開方向に付勢する付勢手段と、
前記蓋を閉じた状態で蓋をごみ箱本体に係止する係止手段と、
前記蓋の上面に設けられ前記係止手段による蓋とごみ箱本体の係止を解除するボタンと、
を備えたことを特徴とするごみ箱。
【請求項４】
請求項１乃至３のいずれかに記載のごみ箱において、
前記蓋の下面側に突設され綿棒または爪楊枝を収納する凹部と、
この凹部の上方の蓋部分に形成されて綿棒または爪楊枝を取り出すための小開口部と、
この小開口部に開閉自在にヒンジ結合されて小開口部を覆う小開閉蓋と、
を備えたことを特徴とするごみ箱。
【考案の詳細な説明】
【０００１】
【考案の属する技術分野】
本考案は、開閉される蓋部分にティッシュペーパーの収納箱またはコットンの収納箱を取り付けたごみ箱に関する。
【０００２】
【従来の技術】
従来、開閉される蓋部分にティッシュペーパーを収納したごみ箱がある（特許文献１参照。）。このごみ箱は、蓋の上面にティッシュペーパーを収納しておいて、使用する場合は、蓋の上面部分からティッシュペーパーを引っ張りだし、使用が済むと、蓋を持ち上げてごみ箱を開き内部にティッシュペーパーをすてることができる。
【０００３】
【特許文献１】
実用新案登録第３０１１２４０号公報
【０００４】
【考案が解決しようとする課題】
しかしながら、上述した従来のごみ箱は、次に使用するティッシュペーパーの端部が上方に突出していて、美観上見栄えのするものではなかった。また、使用済みのティッシュペーパーをすてる場合に、他方の手でごみ箱の蓋部分をつかんで持ち上げて開く操作が必要であり、使い勝手が良くないという課題があった。そこで、本考案は、開閉される蓋部分にティッシュペーパー等を収納したごみ箱において、次に使用するティッシュペーパー等の端部を突出させることなく、しかも使用済のティッシュペーパーをすてる際に蓋の開閉が簡単に行えるごみ箱を提案することを目的とした。
【０００５】
【課題を解決するための手段】
そこで上記課題を解決するために、請求項１の考案は、ごみ箱本体の上部開口部に開閉自在にヒンジ結合された蓋にティッシュペーパー収納箱またはコットン収納箱を支持させたごみ箱において、蓋下面にティッシュペーパー収納箱またはコットン収納箱を吊り下げ支持する支持手段と、前記収納箱の取り出し口に相当する位置の蓋部分に形成された開口部と、この開口部にスライド自在に装着されて開口部を覆う開閉蓋とを備えたことを特徴とする。
【０００６】
請求項２の考案は、請求項１の考案において、前記蓋のヒンジ結合部分に設けられ蓋を開方向に付勢する付勢手段と、前記蓋を閉じた状態で蓋をごみ箱本体に係止する係止手段と、前記ごみ箱本体の下部外側に設けられ前記係止手段による蓋とごみ箱本体の係止を解除するペダルとを備えたことを特徴とする。
【０００７】
請求項３の考案は、請求項１の考案において、前記蓋のヒンジ結合部分に設けられ蓋を開方向に付勢する付勢手段と、前記蓋を閉じた状態で蓋をごみ箱本体に係止する係止手段と、前記蓋の上面に設けられ前記係止手段による蓋とごみ箱本体の係止を解除するボタンとを備えたことを特徴とする。
【０００８】
請求項４の考案は、請求項１乃至３のいずれかの考案において、前記蓋の下面側に突設され綿棒または爪楊枝を収納する凹部と、この凹部の上方の蓋部分に形成されて綿棒または爪楊枝を取り出すための小開口部と、この小開口部に開閉自在にヒンジ結合されて小開口部を覆う小開閉蓋とを備えたことを特徴とする。
【０００９】
【考案の実施の形態】
以下、図に基づいて本考案の実施形態を説明する。
図１はティッシュペーパーの収納箱を取り付けた場合のごみ箱の正面図、図２は図１の蓋部分を拡大して示した断面図、図３は図２の上面図、図４は図２のＡ−Ａ線断面図、図５は図２のＢ−Ｂ線断面図である。図において、１はごみ箱本体であり、上部の開口部に蓋２がヒンジ結合されている。ごみ箱本体１と蓋２のヒンジ結合部分には、図２に示されるように、ヒンジピン３の周囲にコイルばね４が装着されて、蓋２を開方向に付勢している。さらに、蓋２の閉じた状態で、蓋２の他端部には、蓋２側に支持されているフック５が、ごみ箱本体１側に支持されている係合片６に係合して、蓋２を閉じた状態に保持する。蓋２を開けようとする場合は、ごみ箱本体１の下端外側に設けられているペダル７を踏み、ペダル７に連結されているロッド８を下降させ、図示しないばねにより後方に付勢されている係合片６を後退させる。すると、係合片６とフック５との係合が解除されて、コイルばね４のばね力により蓋２は上方向に回動する。なお、図示例では、ペダル７により蓋２の係合を解除したが、フック５に連動して係合を解除するボタンを蓋２の上面に設ける構成とすることもある。
【００１０】
図２および図３に示されるように、蓋２の中央部分に長方形の開口部９が形成され、その短辺側の両端下面にスライドレール１１，１２が配設され、それらの内側に開閉蓋１３が装着されている。開閉蓋１３の把手１４を摘まみ、開閉蓋１３を往復動させると、開口部９が開閉され、開口部９の下方に支持されたティッシュペーパーの収納箱Ｔの取り出し口が現れたり覆われたりする。ティッシュペーパーの収納箱Ｔは、その取り出し口部分が、開口部９と一致する位置で保持され、２本の支持帯１５，１６により蓋２の下面に固定されている。支持帯１５，１６は伸縮性に富むゴム材、または途中に連結金具を設けた布帯、金属帯等で構成可能である。
【００１１】
蓋２の開口部９の外側の位置に、開口部９よりも小さい小開口部１７が形成され、その下方に綿棒Ｍを収納する凹部１８が形成されている。小開口部１７は、一端が蓋２にヒンジ結合された小開閉蓋１９により、開閉自在に覆われる。小開閉蓋１９は、把手２１を摘まんで開いた状態で、綿棒Ｍを収納したり取り出したりし、それ以外のときは閉じておく。凹部１８の一端に形成された窪み１８ａは、綿棒Ｍの頭部を押し下げて、綿棒Ｍの他端を起立させて取り出しやすくするためである。
【００１２】
このように構成されたごみ箱では、蓋２の開口部９の下側に、ティッシュペーパーの収納箱Ｔを支持帯１５，１６により取り付けて開閉蓋１３を閉じ、凹部１８に綿棒Ｍを収納し小開閉蓋１９を閉じた状態で、蓋２を下方に押し下げてごみ箱１に係止しておく。この状態で、ティッシュペーパーおよび綿棒Ｍを使用しようとすると、先ず、開閉蓋１３を開いてティッシュペーパーを取り出して使用する。同様に小開閉蓋１９を開いて綿棒Ｍを取り出して使用する。綿棒Ｍを取り出した場合は、その直後に小開閉蓋１９を閉じておく。次いで、使用の済んだティッシュペーパーおよび綿棒Ｍをすてるために、ペダル７を踏み、蓋２とごみ箱本体１の係合を解除し、蓋２を開けて、ティッシュペーパーおよび綿棒Ｍをごみ箱本体１内に投入する。次いで、蓋２を押し下げてごみ箱本体１に係止する。すると、開閉蓋１３が開いた状態の開口部９からは、次に使用するためのティッシュペーパーが突出しているため、開閉蓋１３を閉じて、ティッシュペーパーの端部をしまいこみ見栄えを良くする。
【００１３】
なお、上述の実施形態は、蓋２の部分にティッシュペーパーおよび綿棒を収納しているが、ティッシュペーパーの代わりに化粧時に使用するコットンの収納箱を収納させることもある。同様に、綿棒の代わりに爪楊枝を収納させることもある。
また、上述の実施形態では、付勢手段としてコイルばね４を用いたが、板ばねを用いることも可能である。
【００１４】
【考案の効果】
以上述べたように本考案によれば、ティッシュペーパー等の収納箱の取り出し口部分に位置する蓋の開口部に、開口部を覆う開閉蓋を設けたことで、ティッシュペーパー等を取り出した後に開閉蓋を閉じると、次に使用するティッシュペーパー等の端部が上方に突出することがなくなり、美観上すっきりとした外観となる。
また、蓋のヒンジ結合部分に蓋を開方向に付勢する付勢手段を設け、この付勢手段に逆らいながら蓋を閉じて係止手段により係止しておき、蓋を開ける際は、ペダルを踏みまたはボタンを押して係止手段を解除することでワンタッチで蓋が開き、蓋の開閉操作が簡単になる。
さらには、蓋下面に綿棒または爪楊枝を収納する凹部を設けて蓋上面から取り出せるようにしておくことで、それらを使用する場合は、探す手間が省け便利である。
【図面の簡単な説明】
【図１】本考案に係るごみ箱の正面図である。
【図２】図１の蓋部分を拡大して示した断面図である。
【図３】図２の上面図である。
【図４】図２のＡ−Ａ線断面図である。
【図５】図２のＢ−Ｂ線断面図である。
【符号の説明】
１　ごみ箱本体
２　蓋
３　ヒンジピン
４　コイルばね
５　フック
６　係合片
７　ペダル
８　ロッド
９　開口部
１１，１２　スライドレール
１３　開閉蓋
１４　把手
１５，１６　支持帯
１７　小開口部
１８　凹部
１８ａ　窪み
１９　小開閉蓋
２１　把手
Ｍ　綿棒
Ｔ　ティッシュペーパー収納箱
【図１】
0003098122.tif 000003
【図２】
0003098122.tif 000004
【図３】
0003098122.tif 000005
【図４】
0003098122.tif 000006
【図５】
0003098122.tif 000007